(57)【要約】無線アドホックピコネットワークが、アイウェアと、同様のトランシーバが搭載されている他の機器（コンピュータ、ブレスレット、および電話機等）とによって形成される。マスタ−スレーブ関係が構成可能である。同様のトランシーバを有する他の機器（無線ラジオ、ＣＤプレイヤー、ハンドヘルド式全地球測位衛星システム、および心拍数モニタ等）も、アイウェアのトランシーバと接続することができる。これらのトランシーバは、世界で利用可能な、免許不要の無線帯域である２．４５ギガヘルツ（ＧＨｚ）で作動し、ブルートゥース規格に準拠する。ブルートゥース対応機器の電力消費は、携帯電話機の電力消費の３％よりも低い。アイウェアはフレームを有し、このフレームには２つのテンプルが接続されている。これらのテンプルは、ヒンジを介してフレームに接続される。テンプルは、コネクタの雄部が内部に組み込まれている。コネクタの雌部は、ヒンジと一体に形成されている。雄部が雌部に挿入されると、テンプルがフレームに取り付けられる。テンプルは、コネクタを引き離すことによって取り外すことができ、取り外されたテンプルの代わりに、内部に各種装置を有するテンプルを挿入することができる。テンプルは、その本体内にオーディオ機器、カメラ、スピーカ、およびマイクロホン、ならびに表示機器（液晶等）、またはアラーム等の装置が共成形されていてもよい。別の実施形態では、アイウェアは、たとえば子供の動きを監視するために距離アラームを構成している。たとえばブレスレット形状の機器を子供が装着する。アイウェアのトランシーバとブレスレットのトランシーバが近距離無線ネットワークすなわちピコネットを形成し、アイウェアとブレスレットがブルートゥース技術に準拠する信号を用いて通信する。アイウェアのトランシーバは、ブレスレットがアイウェアから所定距離を超えたときにアラームを発生するように構成されている。
2005502902.tif 000002
【特許請求の範囲】
【請求項１】
複数の機器とアドホック無線ネットワークを形成することが可能な近距離無線通信用のトランシーバを備える、アイウェア。
【請求項２】
前記トランシーバと前記機器との間の通信は、ブルートゥース規格に準拠する信号によるものである、請求項１に記載のアイウェア。
【請求項３】
前記トランシーバおよび前記機器のいずれか１つは、マスタ−スレーブ構成においてマスタまたはスレーブであるように構成されることができる、請求項１に記載のアイウェア。
【請求項４】
前記機器はモバイル機器である、請求項１に記載のアイウェア。
【請求項５】
前記モバイル機器は、電話機、コンピュータ、無線ラジオ、コンパクトディスクプレイヤー、カメラ、距離アラーム、心拍数モニタ、およびハンドヘルド式全地球測位衛星システムからなる群から選択される、請求項４に記載のアイウェア。
【請求項６】
前記機器は、１００メートル以下の範囲に配置されている、請求項４に記載のアイウェア。
【請求項７】
前記トランシーバは、出力を自動的に変えて伝送範囲を所要範囲に正確に調整する、請求項１に記載のアイウェア。
【請求項８】
前記トランシーバおよび前記機器はそれぞれクロックを有し、該クロックは、指定されたマスタクロックである前記クロックの１つと自動的に同期する、請求項１に記載のアイウェア。
【請求項９】
前記トランシーバは、該トランシーバと通信するように予め設定されている機器のみと通信することができる、請求項１に記載のアイウェア。
【請求項１０】
前記トランシーバは、ノイズの多い電波環境で作動することができ、過酷な条件下で可聴である、請求項１に記載のアイウェア。
【請求項１１】
フレームと、
該フレームに取り外し可能に取り付けられる少なくとも１つのテンプルと
をさらに備える、請求項１に記載のアイウェア。
【請求項１２】
前記テンプルに取り付けられる装置をさらに備える、請求項１１に記載のアイウェア。
【請求項１３】
前記装置は、スピーカおよびマイクロホンを有するオーディオ機器、カメラ、表示機器、距離アラーム、およびイヤホンからなる群から選択される、請求項１１に記載のアイウェア。
【請求項１４】
前記フレームに取り付けられる装置をさらに備える、請求項１１に記載のアイウェア。
【請求項１５】
前記装置は、スピーカおよびマイクロホンを有するオーディオ機器、カメラ、表示機器、距離アラーム、およびイヤホンからなる群から選択される、請求項１４に記載のアイウェア。
【請求項１６】
前記フレームおよび前記テンプルを接続するヒンジと、
前記フレームに配置されている第１のパッドと、
前記テンプルに配置されている第２のパッドと
をさらに備え、
前記第１のパッドおよび前記第２のパッドは、前記テンプルが開位置にある場合に互いに接触し、それによって電気接続を確立する、請求項１１に記載のアイウェア。
【請求項１７】
ヒンジと、
雄部および雌部を有するコネクタと
をさらに備え、
前記ヒンジは前記フレームおよび前記雌部に接続され、前記テンプルは前記雄部に接続されて、前記雄部が前記雌部に係合したときに前記テンプルが前記フレームに取り付けて前記コネクタおよび前記ヒンジが視界から概ね隠れるようになる、請求項１１に記載のアイウェア。
【請求項１８】
ヒンジと、
雄部および雌部を有するコネクタと
をさらに備え、
前記ヒンジは前記フレームおよび前記雄部に接続され、前記テンプルは前記雌部に接続されて、前記雄部が前記雌部と係合したときに前記テンプルが前記フレームに取り付けられて前記コネクタおよび前記ヒンジが視界から概ね隠れるようになる、請求項１１に記載のアイウェア。
【請求項１９】
前記テンプルに配置されるオンオフスイッチをさらに備える、請求項１７に記載のアイウェア。
【請求項２０】
前記装置の少なくとも一部は、前記テンプル内に埋め込まれている、請求項１２に記載のアイウェア。
【請求項２１】
前記テンプルおよび前記フレーム内に埋め込まれている導体であって、前記装置の各種構成部品間に電気接続を確立する導体をさらに備える、請求項２０に記載のアイウェア。
【請求項２２】
アイウェアと、
該アイウェアに搭載された近距離無線通信用トランシーバと、
機器と
を備え、
該機器と前記トランシーバとはアドホック無線ネットワークを形成することが可能であり、前記機器が前記アイウェアから所定距離を超えたときにアラームを発生する、距離アラームシステム。
【請求項２３】
前記アラームが発生する前記距離は、ユーザによって設定される、請求項２２に記載の距離アラーム。
【請求項２４】
前記トランシーバと前記機器との間の通信は、ブルートゥース規格に準拠する信号によるものである、請求項２２に記載の距離アラーム。
【請求項２５】
前記発生するアラームは、視覚アラーム、振動アラーム、および可聴アラームのうち１つである、請求項２２に記載の距離アラーム。
【請求項２６】
フレームを成形することと、
テンプルを成形することと、
該テンプル内に構成部品を共成形することと、
ヒンジを用いて前記フレームを前記テンプルと接続することと
を含む、アイウェアを製造する方法。
【請求項２７】
前記テンプルおよび前記フレーム内に導体を共成形することをさらに含み、
前記導体は、前記テンプルおよび前記フレーム内に配置された前記構成部材間または前記テンプル間に電気接続を形成する、請求項２６に記載のアイウェアを製造する方法。
【請求項２８】
前記ヒンジおよび前記テンプル間にコネクタを組み込むことをさらに含み、前記コネクタの雄部は前記テンプルの一部をなし、前記ヒンジの雌部は前記ヒンジの一部をなして、前記雄部と前記雌部が接続したときに前記テンプルが前記フレームに取り付けられるようにする、請求項２６に記載のアイウェアを製造する方法。
【請求項２９】
近距離無線通信用トランシーバを有するアイウェアを設けることと、
第２の近距離無線通信用トランシーバを有する機器を設けることと、
前記機器と前記アイウェアとの間にアドホック無線ネットワークを形成することと、
前記機器が前記アイウェアから所定距離を超えたときにアラームを発生することと
を含む、アラームを発生する方法。
【請求項３０】
ブルートゥース規格に準拠する信号により前記アイウェアと前記機器との間で通信を行うことをさらに含む、請求項２９に記載のアラームを発生する方法。
【請求項３１】
フレームと、
少なくとも２つのヒンジと、
少なくとも２つのテンプルと
を備え、
前記ヒンジは前記フレームに前記テンプルを取り外し可能に接続し、該テンプルのそれぞれは第２のテンプルで代替することができる、アイウェア。
【請求項３２】
前記第２のテンプルは、スピーカおよびマイクロホンを有するオーディオ機器、カメラ、表示機器、距離アラーム、およびイヤホンからなる群から選択される装置が内部に共成形されている、請求項３１に記載のアイウェア。
【発明の詳細な説明】
【技術分野】
【０００１】
［発明の背景］
発明の分野
本発明は、交換式テンプルを有する無線通信アイウェア機器に関する。より詳細には、本発明は、近距離無線通信技術に対応したトランシーバを有するアイウェアに関する。
【０００２】
関連技術の説明
電気的入出力機器を有する、アイウェアを含めた多くの従来のウェアラブルなパーソナル装置が消費者に利用可能である。これらの装置には、無線周波数または赤外線周波数を用いて無線通信を提供するものもいくつかある。たとえば、米国特許第６，０９１，８３２号は、音声入力または出力機器として機能し得るオーディオトランスデューサを有するウェアラブルなパーソナル装置を開示している。音声入力または出力信号は、無線システムにより供給される。
【０００３】
米国特許第６，０９１，５４６号は、眼鏡フレームに搭載された表示アセンブリおよび１つまたは複数のオーディオおよび／またはビデオアセンブリを有する眼鏡インターフェースシステムを開示している。この表示アセンブリは一方のテンプルに取り付けられ、ユーザにより閲覧されるべき画像を提供する。オーディオまたはビデオアセンブリが他方のテンプルに取り付けられ、表示アセンブリと通信を行う。オーディオまたはビデオアセンブリは、カメラアセンブリおよび／または音声入力または出力アセンブリ（マイクロホンおよび／またはスピーカ等）を含み得る。用途としては、ハンズフリー型電話機、ハンズフリー型ポケットベル（pager）、ハンズフリー型時間表示器、ハンズフリー型血圧またはバイタルサインモニタ、ハンズフリー型音声会議システム、あるいはハンズフリー型監視システムが挙げられる。これらの用途は、赤外線リンクまたは無線周波数（ＲＦ）リンク、あるいは光ファイバケーブルを利用した、音声認識技術および／またはＧＰＳ技術を含み得る。
【０００４】
さらに、アイウェアのフレームに組み込まれたパーソナル表示機器は、inViso Inc.のウェブサイトに開示されており、ＵＲＬアドレス：http://www.inviso.com.で見ることができる。InVisoのアイウェアは、装着者のコンピュータスクリーンのビューを装着者に提供する内蔵型パーソナル表示機器を備えたサングラスの形状にデザインされている。表示されたビューは、２．５フィート離れている１９インチのデスクトップ型モニタが提供するビューに等しい。しかしながら、パーソナル表示機器にコンピュータスクリーンの内容を表示するにはinVisoのアイウェアのプラグをコンピュータに差し込まねばならない。
［発明の概要］
【０００５】
従来の装置は、１対１通信を扱うことに限られており、３つ以上の機器から構成されるアドホックネットワークを形成することができない。従来のオーディオ機器は、ノイズの多い電波環境では十分に機能せず、かさばりが大きく、電力消費が大きい。したがって、複数の機器とアドホックネットワークを形成することが可能な無線通信機器を提供することが望ましい。低コストで、小型であり、電力消費の小さい装置を提供することも望ましい。また、非常にノイズの多い電波環境において機能することができ、過酷な条件下で可聴である装置を有することも望ましい。
【０００６】
本発明は、従来の装置の欠点を克服し、アイウェアをコンピュータ、ブレスレット、および電話機と接続することによって無線ネットワークを提供する。アイウェアは、テンプルにトランシーバが搭載されている。コンピュータ、ブレスレット、および電話機にも同様なトランシーバが搭載されている。同様なトランシーバを有する他の機器（無線ラジオ、ＣＤプレイヤー、ハンドヘルド式全地球測位衛星システムおよび心拍数モニタ等）も、アイウェアのトランシーバと接続され得る。これらのトランシーバは、世界で利用可能な、免許不要の無線帯域である２．４５ギガヘルツ（ＧＨｚ）で作動する、小型で廉価の近距離トランシーバであることが好ましい。トランシーバは、Bluetooth SIG（Bluetooth Special Interest Group）が普及促進しているブルートゥース規格に準拠する。ブルートゥースはオープン仕様技術であり、その仕様書がBluetooth SIG, Inc．から入手可能か、あるいはＵＲＬアドレス：http://www.Bluetooth.com.からダウンロード可能である。ブルートゥース無線仕様書の複写を本明細書に添付するとともに参照により本明細書に完全に援用する。トランシーバは、一秒あたり最大７２１キロビットまでのデータ速度ならびに３つの音声チャンネルをサポートすることができる。トランシーバは、少なくとも２つの電力レベル、すなわちより低い電力レベル（約１０メートル範囲をカバーする）およびより高い電力レベルで作動することができる。より高いレベルは、１００メートル範囲をカバーし、非常にノイズの多い電波環境でも機能することができ、過酷な条件下で可聴である。トランシーバは、その出力を実際に所要とされる出力に正確に制限する。受信機器が近距離だけ離れている場合、トランシーバはまさにその範囲に適するように信号を変更する。さらに、トラフィック量が少なくなるか、または止まると、無線は自動的に低電力モードにシフトする。ブルートゥース対応機器の電力消費は、携帯電話機の電力消費の３％よりも低い。
【０００７】
本発明は、近距離無線ネットワーク技術に対応したトランシーバを内蔵する交換式テンプルを有するアイウェアを意図しており、これにより、提案されているアイウェアが、同様なトランシーバを装備した他の機器と近距離アドホックネットワークを形成することができるようにする。
【０００８】
アイウェアはフレームを有し、このフレームには２つのテンプルが接続されている。これらのテンプルはフレームヒンジに接続されている。テンプルは、内部にコネクタ（たとえば８分の１インチのオーディオコネクタ）の雄部が組み込まれている。コネクタの雌部は、ヒンジと一体に形成されている。雄部が雌部に挿入されるとテンプルがフレームに取り付けられる。テンプルは、コネクタを離すように引くことによって取り外すことができ、取り外されたテンプルの代わりに、内部に異なる装置を有するテンプルを挿入することができる。
【０００９】
トランシーバを内蔵することのほかに、提案されているアイウェアの各テンプルは、たとえばオーディオ機器、カメラ、スピーカ、マイクロホン、表示機器（液晶等）、またはアラーム機器等の他の通信機器が本体内に共成形（co-molded)されていてもよい。トランシーバおよび他の共成形機器に給電するバッテリもテンプルの一方の内部に共成形され、共成形導体を介して共成形機器およびトランシーバに接続されることができる。
【００１０】
別の実施形態では、たとえば大人が装着するアイウェアは、子供の動きを監視する距離アラームモニタ（distance alarm monitor）を有する。この実施形態では、自身の近距離トランシーバを装備した、好ましくはブレスレット形状の機器が子供により装着される。アイウェアのトランシーバとブレスレットのトランシーバは近距離無線ネットワークを形成し、このネットワークでは、アイウェアとブレスレットは、上記のブルートゥース規格に準拠する信号を用いて互いと通信する。アイウェアのトランシーバは、ブレスレットとアイウェアとの間の距離が所定範囲を超えたときにアラームを作動するように構成される。
【００１１】
本発明のさらなる特徴および利点は、例示としてのみ以下に示した本発明の詳細な説明を読み、添付の図面の参照することで当業者には明らかとなろう。
【００１２】
本発明の完全な理解は、好適な実施形態の以下の説明によって、添付図面とともに読めば得ることができる。
［詳細な説明］
【００１３】
本発明の好適な実施形態の一般的概念が図１に示されている。この実施形態によれば、無線ネットワーク１０は、アイウェア１２をコンピュータ１４、ブレスレット１７、および電話機１６と接続することによって形成される。アイウェア１２は、アイウェア１２のテンプルの一方にトランシーバ１８（テンプル１９に図示）が搭載されている。コンピュータ１４、ブレスレット１７、および電話機１６にも同様のトランシーバ（図示せず）が搭載されている。アイウェア１２のユーザが上記機器から所定距離内に入ると、アイウェアのトランシーバとこれらの機器が互いと通信を開始し、それによって、アドホック近距離無線ネッワーク１０を形成する。
【００１４】
トランシーバ１８は、世界で利用可能な、免許不要の無線帯域である２．４５ギガヘルツ（ＧＨｚ）で作動する小型の廉価な近距離トランシーバである。トランシーバ１８はブルートゥース規格に準拠する。ブルートゥースはオープン仕様技術であり、その仕様書がBluetooth SIG, Inc．から入手可能か、あるいはＵＲＬアドレス：http://www.Bluetooth.com.からダウンロード可能である。ブルートゥース無線仕様書の複写物を本明細書に添付するとともに本明細書に完全に援用する。トランシーバ１８は、一秒あたり最大７２１キロビットのデータ速度ならびに３つの音声チャンネルをサポートすることができる。トランシーバは、より低い出力レベル（約１０メートルをカバーする）およびより高い出力レベル（約１００メートルをカバーする）で作動することができる。トランシーバ１８は、ソフトウェア制御によるとともに、トランシーバ１８が通信することができるユニットをユーザが設定することを可能にするチップ２２を有する。ブルートゥース技術により、非常にノイズの多い電波環境であってもトランシーバ１８が機能することが可能になり、たとえば激しい雷雨の際の過酷な条件下で可聴である。
【００１５】
トランシーバ１８を有するアイウェア１２と１つまたは複数の任意の他の機器との接続により、ピコネットとして知られる近距離無線ネットワーク１０が形成される。ピコネットにおける任意の機器（トランシーバを含む）はマスタとなるように構成されることができ、機器の他の残りはスレーブとなる。違う機器が異なる時間にマスタとなるように構成されてもよく、以前のマスタが、新しく構成されたマスタのスレーブとなるように逆になることもできる。複数のピコネットが確立され、アドホックによりリンクされ、あるピコネットのスレーブが別のピコネットのマスタの役割を果たすことができる。ピコネット内のすべての機器のクロックは、マスタのクロックと同期する。１０個の完全にロードされた独立したピコネットを有する複数のピコネット構造内の全二重データレートは、一秒あたり６メガビットよりも大きくなり得る。
【００１６】
トランシーバ１８と他の機器内のトランシーバは、その出力を実際に必要とされるちょうどその出力に制限する。受信機器が近距離だけ離れている場合、トランシーバは、まさにその範囲に適するように信号を変更する。さらに、トラフィック量が少なくなるかまたは止まると、無線は自動的に低電力モードへシフトする。確立された接続を確認するため、低電力モードが非常に短い信号によって割り込みをかけられる（interrupted）。ブルートゥース対応機器は、接続状態において４つの動作モードを有し得る。この４つのモードは、電力消費の低い順に挙げると、分離モード、保持モード、スニフモード、および作動モードである。したがって、ブルートゥース対応機器の電力消費は、携帯電話機の電力消費の３％よりも低い。
【００１７】
図１のアイウェア１２の概略図が図２ａに示されている。アイウェア１２はフレーム２４を有しており、フレーム２４には２つのテンプル１９および２０が接続されている。テンプル１９および２０はそれぞれ、ヒンジ２６および２８によりフレーム２４に接続されている。ヒンジ２６および２８はアイウェアのコネクタ部に隣接するとともにコネクタ部とは別体となって示されているが、これは例示目的のみのために示されていることを理解されたい。図２ｂないし図２ｆに関してさらに説明するように、本発明の好適な実施形態では、各ヒンジは、対応するコネクタの一方の部分（雄部または雌部のいずれか）と一体となっている。テンプル１９および２０はそれぞれ、コネクタ３４（たとえば８分の１インチのオーディオコネクタ）の雄部３０が内部に組み込まれている。コネクタ３４の雌部３２は、ヒンジ２６および２８と一体に形成される。当業者には明らかなように、図２ｂないし図２ｆに示すように雌部３０と雌部３２の取り付け位置は逆であってもよい。雄部３０が雌部３２に挿入されるとテンプル２０がフレーム２４に取り付けられる。テンプル１９も同様にしてフレーム２４に取り付けられる。テンプル１９および２０は接続部を引き離すことによって取り外され、テンプル１９または２０の代わりに、内部に異なる装置を有する異なるテンプルを挿入することができる。テンプル１９および２０がフレーム２４に取り付けられるとヒンジ２６および２８が概ね隠れるため、アイウェア１２を美学的により優れたものにする。Gregg T. Swabにより出願された「Exchangeable Eyeglass Temple Pieces Utilizing Quick-Connect Attachment」という名称の第０９／５３２，４２７号の特許出願は、フレームに対するテンプル片部の迅速な着脱のために迅速な接続で取り付けられるテンプル片部を記載している。
【００１８】
フレーム２４は、それぞれヒンジ２８および２６の近くに位置したパッド４２および４４を有する。テンプル２０および１９もパッド４６および４８を有し、これらのパッドはテンプル２０および１９が開位置にある場合にパッド４２および４４にそれぞれ接触している。パッドは、接触すると電気パスを完結させ、それによって装置３６の回路を作動させる。代替方法として、回路を作動させるのにスイッチ５０をテンプル１９または２０に配置してもよい。
【００１９】
両テンプルとフレームとの間に電気伝導を可能にする接続ヒンジにより、左テンプルおよび右テンプル間の機能を共有することが可能となる。さらに、バッテリおよび回路（ブルートゥースＰＣＢ等）が両側にあることで、回路およびそれらの機能にさらに対応することができ、重量および容積のバランスをとることができるようにする。ヒンジにより、二重モノまたはステレオスピーカが可能となり、デジタルカメラ等のＵＳＢ機器に対応することができる。
【００２０】
図２ｂは、テンプル１９および２０内に成形される前の、雄コネクタ部３２が延出しているヒンジ（一実施形態の２６または２８）の図である。図２ｃは、テンプル内に成形されているヒンジを示す図である。図２ｄは、ヒンジのピン５０と雄コネクタ部３２との空間的な関係を表す図である。図２ｅはテンプル内に成形される前のヒンジ、コネクタ３４、および回路９０（ブルートゥースＰＣＢ等）を示す図である。図２ｆは、アイウェアにおける図２ｃのアセンブリの空間的な関係を示す図である。
【００２１】
テンプル２０は、その本体内に装置３６が共成形されている。装置３６は、たとえば、オーディオ機器、カメラ、スピーカ、マイクロホン、および表示機器（液晶等）、またはアラームとすることができる。この装置は、電子パッケージ（electronics package）内での作動のための電気回路（ＰＣＢを備えたブルートゥースモジュール等）を有する。バッテリ３８がテンプル２０および１９内に共成形され、共成形導体４０を介して共成形装置３６に接続されることができる。
【００２２】
各自がトランシーバ１８と同様のトランシーバを有する他の機器（無線ラジオ、ＣＤプレイヤー、ハンドヘルド式全地球測位衛星システム、および心拍数モニタ等）も、アイウェア１２に接続され得る。図３のフローチャートに示すように、本発明の一実施形態は、トランシーバ１８、バッテリ５２、マイクロホン５４、およびスピーカ５６がそのテンプルの一方内に成形されているアイウェア１２が、１つのボックス６６としてフローチャートに示されている携帯電話機、心拍数モニタ、または双方向無線ラジオに接続されている。接続されるこれらの機器のすべては各自、トランシーバ１８と同様のトランシーバ６８を装備しており、各トランシーバはバッテリ７２により給電される。通常、携帯電話機、心拍数モニタ、および双方向無線ラジオはバッテリ作動式であるため、トランシーバ６８を給電するのに付加的な電源を必要としない。たとえばアイウェア１２の装着者が作成したオーディオ情報である信号は、マクロホン５４およびトランシーバ１８を介して、対象の受信側機器に付随したトランシーバ６８に送信され、機器はその信号を受信すると、所望のアクションを行い、たとえば、受信したオーディオ情報をさらに搬送する。本発明の同様な実施形態が図７および図１２に示されており、これらの図では、アイウェア１２は、電話会議設備７８に関して用いることができる。この場合、アイウェア１２のトランシーバ１８が、通信信号の送信／受信のために電話会議設備７８のトランシーバ８０に接続される。本発明のこの実施形態はまた、より十分に以下に説明するように、ビデオ会議のためにデジタルカメラとともに用いることができる。
【００２３】
本発明の別の実施形態では、図４のフローチャートに示すように、アイウェア１２は、ＭＰ３プレイヤーのトランシーバ７０に接続されたアイウェアのトランシーバ１８を介して、各種オーディオ再生機器（たとえばＭＰ３オーディオプレイヤー５８）に接続され得る。この実施形態では、アイウェア１２の各テンプルに１つのスピーカ、すなわち左テンプル１９には左スピーカ６０、右テンプル２０には右スピーカ６２が搭載される。好ましくは、一方のスピーカ（図４の左スピーカ６０）のみがトランシーバ１８に直接接続され、他方のスピーカ（図４の右スピーカ６２）は、２つのテンプルとフレームの導電接続により第１のスピーカに接続される。上述の実施形態と同様に、ＭＰ３プレイヤー５８は、トランシーバ１８と信号を交換することが可能な自身のトランシーバ７０を装備している。動作時に、ＭＰ３プレイヤーが以前に格納された音楽または任意の他の格納された音声信号を再生すると、トランシーバ７０がこの信号をトランシーバ１８に供給し、トランシーバ１８はこの信号をスピーカ６０および６２に伝達する。本発明のこの実施形態は、左テンプル１９内に成形されたトランシーバ１８、左テンプル１９に取り外し可能に取り付けられた左スピーカ６０、および右テンプル２０に取り外し可能に取り付けられた右スピーカ６２を有したアイウェア１２を示す図９および図１０にさらに示されている。左テンプル１９、フレーム２４、および右テンプル２０は、左スピーカ６０に右スピーカ６２を接続する導電リンクを形成する。
【００２４】
図５のフローチャートに示すように、ラップトップ、携帯情報端末（ＰＤＡ）、携帯電話機他等の各種ビデオまたは写真対応機器７４も、アイウェア１２に接続することができる。この実施形態では、図１１の例に示すように、小型デジタルカメラ６４がアイウェア１２のフレーム２４に搭載されている。好ましくは、カメラ６４はデジタル静止画像ならびにビデオ画像を撮影し、それらを、トランシーバ１８を介して接続された機器７４の１つまたは複数のトランシーバ７６に送信することができる。カメラ６４にソフトウェアが備わっている場合、かかるソフトウェアは、接続された機器７４の１つ（たとえばラップトップコンピュータ）に格納され得る。この場合、ラップトップコンピュータから発信されたコマンドを、ラップトップのトランシーバ７６を介してアイウェアのトランシーバ１８に送信することによってカメラ６４を制御することができ、トランシーバ１８は、次にコマンドをカメラに伝達して、実行するようにする。この実施形態は、以下に説明する子供側のアラームシステムとともに用いられる場合に特に有用である。説明した実施形態では、２つのテンプルとフレームの導電接続が、接続された接続機器に対して信号が相方向に伝達されるために必要である。しかしながら、かかる接続が望ましくない場合、カメラ６４は、同じテンプル（たとえばテンプル１９）にトランシーバ１８とともに配置されてもよい。この場合、図６のフローチャートに示すように、カメラとトランシーバとの間の電気接続リンクは、１つのテンプル内に埋め込まれ得る。
【００２５】
図８は、先のいくつかの実施形態で説明したアイウェア構成部品の可能な組み合わせを示している。上述のように、アイウェアは、フレーム２４ならびに２つのテンプル（すなわち左テンプル１９および右テンプル２０）を有する。好ましくは、フレーム２４はビデオ画像およびスチル写真を撮影するためのカメラ６４を内蔵する。好ましくは、右テンプル２０は取り外し可能な右スピーカ６２を内蔵する。好ましくは、左テンプル１９は取り外し可能な左スピーカ６０、マイクロホン５４、トランシーバ１８、およびバッテリ５２を内蔵する。図８に示すように、アイウェア１２が展開状態の場合、全構成部品間の導電接続の電気回路が閉じられ、それによって、バッテリ５２がフレームと対向テンプルに配置された構成部品のすべてに給電することができる。
【００２６】
別の実施形態では、たとえば大人によって装着されるアイウェア１２は、子供の動きを監視する距離アラームモニタを有する。この実施形態では、自身の近距離トランシーバを装備したブレスレット１７（図１を参照）の形状の機器を子供が装着することが好ましい。アイウェアのトランシーバ１８およびブレスレット１７のトランシーバは、アイウェアとブレスレットが上記のブルートゥース規格に準拠する信号を用いて互いと通信する近距離無線ネットワークを形成する。アイウェア１２のトランシーバ１８は、ブレスレット１７とアイウェア１８との間の距離が所定範囲を超えたときにアラームを作動するように構成されている。アラームは、たとえば赤色光のようなビデオアラーム、または発信音のような音声アラーム、または振動アラームとすることができる。当然のことながら、アイウェアとブレスレットの機能を逆にすることもできる。すなわち、距離アラームモニタを備えたブレスレットを、監視を行う大人が装着し、自身のトランシーバを備えたアイウェアを子供が装着することもできる。代替方法として、２対のアイウェアを設けることができ、大人が装着すべき一方のアイウェアにはアラームモニタおよび制御トランシーバが装備され、子供が装着すべきもう一方にのアイウェアには被制御トランシーバが装備される。
【００２７】
本発明は、アイウェアを製造する方法も含む。アイウェアは、フレームおよびテンプルの全体に含まれる電気構成部品を形成するプロセスで製造される。上記で説明した電気構成部品および導体は、各種構成部品に電気エネルギーを供給する目的のためにテンプルおよびフレーム部に埋め込まれる。一方法では、構成部品（導電ワイヤを含む）の一部または全ては、テンプルおよびフレーム内に共成形される。これは、構成部品がテンプルおよびフレームツールに挿入されるインプロセス方法である。成形サイクルが開始し、プラスチック材料がツールのコアおよびキャビティに流入し、構成部品が剛性テンプルおよびフレーム内に恒久的に硬化する。
【００２８】
代替方法として、製造方法は、構成部品（導電ワイヤを含む）の一部またはすべてを、テンプルおよびフレームを構成する片部材に組み立てるものであってもよい。テンプルおよびフレームを構成する片部材は、挿入および機械的構成部品と電気的構成部品の組立てを容易にさせるようにデザインされるとともに射出成形される。さらに、共成形構成部品と組立構成部品の組み合わせを用いて効率を最大にすることができる。
【００２９】
本発明の特定の実施形態を説明してきたが、本発明から逸脱することなく本発明の広範な態様において変更および改変がなされることが当業者には理解されよう。したがって、添付の特許請求の範囲は、本発明の真の精神および範囲にあるかかるすべての変更および改変をその特許請求の範囲内に含むべきである。
【００３０】
Ｂｌｕｅｔｏｏｔｈ仕様書バージョン１．１
無線仕様書
2005502902.tif 000003
【００３１】
１  適用範囲
Ｂｌｕｅｔｏｏｔｈの送受信機は２．４ＧＨｚのＩＳＭバンドで動作する。この仕様書はこの免許不要の周波数帯において動作するＢｌｕｅｔｏｏｔｈ送受信機の要求事項について規定したものである。
【００３２】
要求事項は以下の２つの理由により定められたものである。
・システムに使用される無線機間のコンパチビリティを確保する。
・システムの品質を定める。
【００３３】
Ｂｌｕｅｔｏｏｔｈの送受信機は付録Ａと付録Ｂで規定されている動作条件で指定の要求事項を満足するものとする。無線パラメータは無線試験仕様に述べられている方法によって測定されなければならない。
【００３４】
この仕様書は欧州、日本、北米で定められた規制に基づいている。以下に示す規格書は参考までであり、変更あるいは修正されることがある。
【００３５】
欧州（フランスとスペインを除く）：
認定規格：European Telecommunications Standards Institute（ＥＴＳＩ）
文書：ＥＴＳ  ３００−３２８、ＥＴＳ  ３００−８２６
認定機関：National Type Approval Authorities
フランス：
認定規格：La Reglementation en France por les Equipements fonctionnant dans la bande de frequences 2.4 GHz "RLAN-Radio Local Area Network"
文書：ＳＰ／ＤＧＰＴ／ＡＴＡＳ／２３、ＥＴＳ  ３００−３２８、ＥＴＳ  ３００−８２６
認定機関：Direction Generale des Postes et Telecommunications
注：新しいＲ＆ＴＴＥ  ＥＵ  Ｄｉｒｅｃｔｉｖｅが２０００年３月までに施行され、その結果ＥＵ域内の製造者による製品の適合及び自由流通宣言に影響が出ることになる。
スペイン：
認定規格：Supplemento Del Numero 164 Del Boletin Oficial Del Estado（１９９１年７月１０日発行、１９９３年６月２５日改正）
文書：ＥＴＳ  ３００−３２８、ＥＴＳ  ３００−８２６
認定機関：Cuadro Nacional De Atribucion De Frecuesias
日本：
認定規格：Association of Radio Industries and Businesses（ＡＲＩＢ、電波産業会）
文書：ＲＣＲ  ＳＴＤ−３３Ａ
認定機関：Ministry of Post and Telecommunications（ＭＰＴ、旧郵政省）
注：日本の規定は改正中である。改正の決定は１９９９年の第２四半期になされる予定である。
北米：
認定規格：Federal Communications Commission（ＦＣＣ）ＵＳＡ
文書：ＣＦＲ４７、Ｐａｒｔ  １５、Ｓｅｃｔｉｏｎｓ  １５．２０５、１５．２０９、１５．２４７
認定規格：Industry Canada（ＩＣ）Ｃａｎａｄａ
文書：ＧＬ３６
認定機関：ＦＣＣ（米国）、Industry Canada（カナダ）
【００３６】
２  周波数帯とチャネル割当
Ｂｌｕｅｔｏｏｔｈシステムは２．４ＧＨｚのＩＳＭ（産業、科学、医療機器用）帯で動作する。世界の大部分の国々でこの周波数帯の範囲は２４００〜２４８３．５ＭＨｚである。しかしながら一部の国では周波数範囲に国内で制限が設けられている。これらの国々の制限に準拠するために、当該国用の特殊な周波数ホッピングアルゴリズムが規定されている。なお、狭い周波数帯を実施する製品は全帯域を実施する製品とともに動作させることができない。したがって、狭い周波数帯を実施する製品は単一市場向けの地域版として考えなければならない。Ｂｌｕｅｔｏｏｔｈ  ＳＩＧはこれらの問題を克服し周波数帯の完全な調和を図るためのキャンペーンを開始した。
【００３７】
【表１】
2005502902.tif 000004
【００３８】
チャネル間隔は１ＭＨｚとなっている。各国の帯域外規制に準拠するためには、帯域の上下端にガードバンドを用いる。
【００３９】
【表２】
2005502902.tif 000005
【００４０】
３  送信特性
この節では装置のアンテナコネクタでの電力レベルの要求事項を規定している。コネクタを持たない装置の場合には０ｄＢｉの利得の基準アンテナを用いたと想定する。
【００４１】
放射測定における測定精度の難しさから、機器適合認定（type approval）では、積分アンテナを用いて暫定的なアンテナコネクタを提供するシステムを用いることが好ましい。
【００４２】
０ｄＢｉを超える指向性利得を有する送信アンテナが使用される場合には、ＥＴＳＩ  ３００  ３２８とＦＣＣ  ｐａｒｔ  １５内の該当する事項を補償しなければならない。
【００４３】
装置は３つの電力クラスに分けられる。
【００４４】
【表３】
2005502902.tif 000006
【００４５】
電力クラス１の装置には電力制御が必要となる。電力制御は０ｄＢｍを超える送信電力を制限するために用いられる。０ｄＢｍ以下での電力制御機能はオプションであり、本機能は消費電力及び全体の干渉レベルの最適化を行うために用いることができる。電力のステップは単調列であり、最大ステップサイズは８ｄＢ、最小ステップサイズは２ｄＢである。クラス１の装置は最大送信電力＋２０ｄＢｍで４ｄＢｍ以下まで送信電力を制御できなければならない。
【００４６】
電力制御機能を有する装置はＬＭＰコマンド（「リンクマネージャプロトコル」を参照）によりリンクの出力電力の最適化を行う。これはＲＳＳＩの測定と電力の増減の報告とによって行なわれる。
【００４７】
なお、あるデバイスから別のデバイスへパケットを送信する際、接続の受信側が送信側の電力制御に必要なメッセージング（すなわちＲＳＳＩ測定値と関連メッセージ）をサポートしていない場合は電力クラス１を使用してはならない。この場合、送信機はクラス２またはクラス３の送信機の規定に準拠しなければならない。
【００４８】
また、クラス１のデバイスが別のデバイスの至近でページングまたは問合せしている場合、入力電力は「４．５  最大使用可能レベル」における要求よりも大きくなる可能性があることにも留意されたい。これにより受信（listening）デバイスが応答できなくなる可能性がある。したがって電力クラス２またはクラス３による送信を用いてページ及び問合せすることも有用である。
【００４９】
３．１  変調特性
変調にはＢＴ＝０．５のＧＦＳＫ（ガウスフィルタ周波数シフトキーイング：Gaussian Frequency Shift Keying）を用いる。変調指数は０．２８〜０．３５でなければならない。２値の「１」は正の周波数偏移によって表され、２値の「０」は負の周波数偏移によって表される。シンボルタイミングは±２０ｐｐｍ以下とする。
【００５０】
【表４】
2005502902.tif 000007
【００５１】
１０１０系列に相当する各送信チャネルの周波数偏移の最小値（Ｆｍｉｎ＝｛Ｆｍｉｎ＋，Ｆｍｉｎ−｝の小さいほう）は００００１１１１系列に相当する周波数偏移（ｆｄ）の±８０％以上とする。
更に、偏移の最小値は１１５ｋＨｚ以上とする。送信データのシンボルレートは１Ｍｓ／ｓである。
【００５２】
ゼロクロス誤差は理想的シンボル周期と測定したクロス時間との間の時間差である。これは±１／８シンボル周期以下とする。
【００５３】
３．２  スプリアス放射
帯域内、帯域外のスプリアス放射は周波数ホッピングを行う送信機の１つのホッピング周波数について測定する。つまり、シンセサイザは送受信スロットで周波数を変えなければならないが、常に同一の送信周波数に戻る。
【００５４】
米国では、ＦＣＣ  ｐａｒｔｓ  １５．２４７、１５．２４９、１５．２０５、１５．２０９の規制が適用される。日本ではＲＣＲ  ＳＴＤ−３３、欧州ではＥＴＳＩ  ３００  ３２８が適用される。
【００５５】
３．２．１  帯域内スプリアス放射
ＩＳＭ帯域内においては、送信機は表３．２に示すスペクトラムマスクを満足するものとする。スペクトラムはＦＣＣの２０ｄＢ帯域幅の規定に準拠しなければならず、これに従って測定される。ＦＣＣの要求に加えて、チャネル番号が２以上離れた隣接チャネルについて隣接チャネル電力を定義する。この隣接チャネル電力は１ＭＨｚチャネル内の測定電力の和で定義される。送信電力は最大ホールド（maximum hold）を用いて１００ｋＨｚ帯域幅で測定するものとする。送信機はチャネルＭで送信し、隣接チャネル電力はチャネル番号Ｎで測定する。送信機は試験中、擬似ランダムデータパターンを送信する。
【００５６】
【表５】
2005502902.tif 000008
【００５７】
１ＭＨｚの整数倍である周波数を中心とする３つの１ＭＨｚ幅の帯域までで例外が認められる。しかしながら、それらは絶対値−２０ｄＢｍに準拠しなければならない。
【００５８】
３．２．２  帯域外スプリアス放射
測定電力は１００ｋＨｚ帯域幅で測定する。
【００５９】
【表６】
2005502902.tif 000009
【００６０】
３．３  無線周波数許容度
送信初期中心周波数の精度はＦｃから±７５ｋＨｚ以内でなければならない。初期周波数精度は情報送信前の周波数精度をいう。なお、周波数ドリフトの要求はこの±７５ｋＨｚに含まれない。
【００６１】
パケット内の送信中心周波数ドリフトは表３．４に規定される。ベースバンド仕様書に異なるパケットが定義されている。
【００６２】
【表７】
2005502902.tif 000010
【００６３】
４  受信特性
ビット誤り率性能を測定するため、装置は「ループバック」機能を持たなければならない。装置は復号情報を送り返す。この機能は試験モードの仕様に記述されている。
【００６４】
この章で言及する基準感度レベルは−７０ｄＢｍである。
【００６５】
４．１  実際の感度レベル
実際の感度レベルは生の（raw）ビット誤り率（ＢＥＲ）が０．１％となるときの入力レベルで規定される。Ｂｌｕｅｔｏｏｔｈ受信機の実際の感度レベルは−７０ｄＢｍ以上必要である。受信機は、第３節に記述される送信機の仕様（２１頁）に準拠するいかなるＢｌｕｅｔｏｏｔｈ送信機についても−７０ｄＢｍの感度レベルを満足しなければならない。
【００６６】
４．２  干渉性能
同一チャネル及び１ＭＨｚと２ＭＨｚの隣接チャネルの干渉性能は基準感度レベルよりも１０ｄＢ高い希望信号を用いて測定する。他の全ての周波数については基準感度レベルよりも３ｄＢ高い希望信号を用いて測定する。干渉信号の周波数が２４００〜２４９７ＭＨｚ帯の外側にある場合、帯域外ブロッキングの仕様（第４．３節（２６頁）参照）が適用される。干渉信号はＢｌｕｅｔｏｏｔｈの変調を行なったものを用いる（第４．８節（２８頁）参照）。ビット誤り率は０．１％以下とする。信号対干渉比は以下のとおりである。
【００６７】
【表８】
2005502902.tif 000011
【００６８】
これらの仕様は受信機の１つのホッピング周波数について、公称温度条件でのみ試験される。つまり、シンセサイザは送受信スロット間で周波数を変えなければならないが、常に同一の受信周波数に戻らなければならない。
【００６９】
要求を満たさない周波数はスプリアスレスポンス周波数と呼ばれる。希望信号から２ＭＨｚ以上離れた周波数では５つのスプリアスレスポンス周波数が許容される。これらのスプリアスレスポンス周波数では緩和された干渉要求Ｃ／Ｉ＝−１７ｄＢを満たすものとする。
【００７０】
４．３  帯域外ブロッキング
帯域外ブロッキングは希望信号の感度レベルを基準よりも３ｄＢ上げて測定する。干渉信号は連続波の信号を用いる。ビット誤り率は０．１％以下とする。帯域外ブロッキングは以下の要求を満たすものとする。
【００７１】
【表９】
2005502902.tif 000012
【００７２】
所与の受信チャネルの周波数に依存する１ＭＨｚの整数倍の周波数を中心とした２４の例外が許容される。これらの内１９のスプリアスレスポンス周波数は０．１％のビット誤り率を得るための干渉波の電力レベルを−５０ｄＢｍまで緩和できる。残り５つのスプリアスレスポンス周波数での電力レベルは任意である。
【００７３】
４．４  相互変調特性
次の条件において、基準感度性能ＢＥＲ＝０．１％を満たすものとする。
・周波数ｆ0の希望信号の電力レベルは基準感度レベルよりも６ｄＢ高い値とする。
・ｆ1の定常的な正弦波信号の電力レベルは−３９ｄＢｍ
・ｆ2のＢｌｕｅｔｏｏｔｈ変調信号（第４．８節（２８頁）参照）の電力レベルは−３９ｄＢｍ
よってｆ0＝２ｆ1−ｆ2であり、｜ｆ2−ｆ1｜＝ｎ*１ＭＨｚ（ｎは３、４、または５）であるようする。システムは３つの代案の内１つを満たさなければならない。
【００７４】
４．５  最大使用可能レベル
受信機が動作可能な最大使用可能入力レベルは−２０ｄＢｍ以上でなければならない。ビット誤り率は−２０*ｄＢｍの入力電力において０．１％以下とする。
【００７５】
４．６  スプリアス放射
Ｂｌｕｅｔｏｏｔｈ受信機のスプリアス放射は次の値を超えないものとする。
【００７６】
【表１０】
2005502902.tif 000013
【００７７】
測定電力は１００ｋＨｚの帯域幅で測定されるべきである。
【００７８】
４．７  受信信号強度表示（オプション）
電力制御リンクをサポートしようとする送受信機は受信信号強度を測定し、リンクの反対側の送信機の出力電力レベルを増加あるいは減少すべきか判断できなければならない。受信信号強度表示（ＲＳＳＩ）がそれを可能とする。
【００７９】
ＲＳＳＩ測定は受信信号電力を、最良の受信電力範囲を画定する２つの閾値レベルと比較する。下限レベルは−５６ｄＢｍから実際の受信機感度よりも６ｄＢ高い受信電力までに相当する。上限レベルは＋／−６ｄＢの精度で下限レベルよりも２０ｄＢ高い（図表４．１（２７頁）を参照）。
【００８０】
【表１１】
2005502902.tif 000014
【００８１】
４．８  基準信号の定義
Ｂｌｕｅｔｏｏｔｈ変調干渉信号は次のように定義される。
変調＝ＧＦＳＫ
変調指数＝０．３２±１％
ＢＴ＝０．５±１％
ビット速度＝１Ｍｂｐｓ±１ｐｐｍ
希望信号の変調データ＝ＰＲＢＳ９
干渉信号の変調データ＝ＰＲＢＳ１５
周波数精度±１ｐｐｍ以下
【００８２】
５  付録Ａ
５．１  公称試験条件（ＮＴＣ）
５．１．１  公称温度
試験のための公称温度条件は＋１５〜＋３５℃とする。この条件の下で試験を行なうことが非実用的な場合、周囲の温度を述べるその旨の注が記録されるものとする。試験中の実際の値は試験報告に記録されるものとする。
【００８３】
５．１．２  公称電源
５．１．２．１  主電源電圧
主電源に接続される装置への公称試験電圧が公称主電源電圧である。公称電圧は公然の電圧あるいは装置が設計された公然の電圧でなければならない。ＡＣ主電源に相当する試験用電源の周波数は公称周波数の２％以内でなければならない。
【００８４】
５．１．２．２  車で用いる鉛電池電源
車に一般的な発電機から供給を受ける鉛電池電源により無線装置を動作させようとするとき、公称試験電圧は電池の公称電圧（６Ｖ、１２Ｖなど）の１．１倍とする。
【００８５】
５．１．２．３  その他の電源
その他の電源あるいは別の型の電池（一次または二次）による動作については、公称試験電圧は装置製造者の申告による。これは試験報告に記録されるものとする。
【００８６】
５．２  限界試験条件
５．２．１  限界温度
限界温度範囲は下記の組み合わせで得られる最も大きな温度範囲で定義される。
・最低温度範囲  ０℃〜＋３５℃
・製造者の申告による製品の動作温度範囲
この限界温度範囲と申告された動作温度範囲は試験報告に記録されるものとする。
【００８７】
５．２．２  限界電源電圧
被試験装置が別のシステムまたは装置の１部分として動作するように設計され当該システムまたは装置により電力供給される場合には、以下に示す限界電源電圧での試験は必要ない。このような場合、ホストシステムまたはホスト装置の限界値が適用されるものとする。適当な限界値が製造者によって申告され、試験報告に記録されるものとする。
【００８８】
５．２．２．１  主電源電圧
ＡＣ主電源に接続される装置の限界試験電圧は公称主電源電圧の±１０％とする。
【００８９】
５．２．２．２  車で用いる鉛電池電源
車に一般的な発電機から供給を受ける鉛電池電源により無線装置を動作させようとするとき、限界試験電圧は電池の公称電圧（６Ｖ、１２Ｖ等）の１．３倍と０．９倍とする。
【００９０】
５．２．２．３  他の型の電池を用いた電源
装置の試験電圧の下限は電源に以下の電池を用いた場合次のようになる。
ａ）ルクランシェ、アルカリ、またはリチウム型の電池の場合：電池の公称電圧の０．８５倍
ｂ）水銀またはニッケルカドニウム型の電池の場合：電池の公称電圧の０．９倍
どちらの場合も上限試験電圧は電池の公称電圧の１．１５倍とする。
【００９１】
５．２．２．４  その他の電源
その他の電源を用いる、または様々な電源（一次または二次）で動作可能な装置については、限界試験電圧は製造者により申告されたものとする。これらは試験報告に記録されるものとする。
【００９２】
６  付録Ｂ
無線パラメータは以下の条件で試験されるものとする。
【００９３】
【表１２】
2005502902.tif 000015
【図面の簡単な説明】
【００９４】
【図１】本開示に従って構成されたアイウェアをコンピュータ、ブレスレット、および無線電話に接続することによって形成される近距離無線ネットワークの概略図である。
【図２ａ】アイウェアの取り外し可能なテンプル、およびアイウェアフレームとのそれらテンプルの接続を示した、図１のアイウェアの概略図である。
【図２ｂ】テンプル内に成形される前の、雄コネクタ部が延出しているヒンジの図である。
【図２ｃ】テンプル内に成形されたヒンジを示す図である。
【図２ｄ】ヒンジのピンと雄コネクタ部との空間的な関係を示す図である。
【図２ｅ】テンプル内に成形される前のヒンジ、コネクタ、および回路（ブルートゥースＰＣＢ等）を示す図である。
【図２ｆ】アイウェアの図２ｃのアセンブリの空間的な関係を示す図である。
【図３】本発明のアイウェアと各種通信機器（たとえば携帯電話機または双方向無線ラジオ）によって形成されるネットワークのフローチャートである。
【図４】本発明のアイウェアと各種オーディオ再生機器（ＭＰ３プレイヤー等）によって形成されるネットワークのフローチャートである。
【図５】フレームにカメラが搭載されているアイウェアと各種ビデオ対応機器（たとえば携帯情報端末（ＰＤＡ）またはラップトップコンピュータ）によって形成されるネットワークのフローチャートである。
【図６】テンプルの一方にカメラが搭載されているアイウェアと各種ビデオ対応機器（たとえば携帯情報端末（ＰＤＡ）またはラップトップコンピュータ）によって形成されるネットワークのフローチャートである。
【図７】本発明のアイウェアと電話会議設備によって形成されるネットワークのフローチャートである。
【図８】アイウェアのフレームおよびテンプル内に共成形された、アイウェアの各種構成部品の概略図である。
【図９】トランシーバと一対の取り外し可能なオーディオスピーカが設けられたアイウェアの側部斜視図である。
【図１０】スピーカの一方がテンプルから取り外されている、図８に示すアイウェアの後方斜視図である。
【図１１】フレームにデジタルカメラが搭載されているとともにテンプルに一対のスピーカが搭載されているアイウェアの前方斜視図である。
【図１２】テンプルにマイクロホンが搭載されているアイウェアと、アイウェアと通信している電話会議設備の概略図である。
【図１】
2005502902.tif 000016
【図２ａ】
2005502902.tif 000017
【図２ｂ】
2005502902.tif 000018
【図２ｃ】
2005502902.tif 000019
【図２ｄ】
2005502902.tif 000020
【図２ｅ】
2005502902.tif 000021
【図２ｆ】
2005502902.tif 000022
【図３】
2005502902.tif 000023
【図４】
2005502902.tif 000024
【図５】
2005502902.tif 000025
【図６】
2005502902.tif 000026
【図７】
2005502902.tif 000027
【図８】
2005502902.tif 000028
【図９】
2005502902.tif 000029
【図１０】
2005502902.tif 000030
【図１１】
2005502902.tif 000031
【図１２】
2005502902.tif 000032
【国際公開パンフレット】
2005502902.tif 000033
2005502902.tif 000034
2005502902.tif 000035
2005502902.tif 000036
2005502902.tif 000037
2005502902.tif 000038
2005502902.tif 000039
2005502902.tif 000040
2005502902.tif 000041
2005502902.tif 000042
2005502902.tif 000043
2005502902.tif 000044
2005502902.tif 000045
2005502902.tif 000046
2005502902.tif 000047
2005502902.tif 000048
2005502902.tif 000049
2005502902.tif 000050
2005502902.tif 000051
2005502902.tif 000052
2005502902.tif 000053
2005502902.tif 000054
2005502902.tif 000055
2005502902.tif 000056
2005502902.tif 000057
2005502902.tif 000058
2005502902.tif 000059
2005502902.tif 000060
2005502902.tif 000061
2005502902.tif 000062
2005502902.tif 000063
2005502902.tif 000064
2005502902.tif 000065
2005502902.tif 000066
2005502902.tif 000067
2005502902.tif 000068
2005502902.tif 000069
2005502902.tif 000070
2005502902.tif 000071
2005502902.tif 000072
2005502902.tif 000073
2005502902.tif 000074
2005502902.tif 000075
2005502902.tif 000076
2005502902.tif 000077
2005502902.tif 000078
2005502902.tif 000079
2005502902.tif 000080
2005502902.tif 000081
2005502902.tif 000082
2005502902.tif 000083
2005502902.tif 000084
2005502902.tif 000085
2005502902.tif 000086
2005502902.tif 000087
2005502902.tif 000088